(57)【要約】      （修正有）【課題】結合部品によって、使用者がキーボード本体により多くの変化や装飾を加えることを可能にして、元々の単調なキーボード本体に娯楽性を与える、キーボードの構造を提供する。【解決手段】主にキーボード本体１からなるとともに、キーボード本体１上には複数個のキートップ部品１１及び上表面１２が設けられ、且つ上表面１２上には結合部品２が区切られて設けられる。これにより、結合部品２と積木構造が結合されることで、キーボード本体１の表面に装飾が加えられる。更に、結合部品２は積載用部品上に区切られて設けられるとともに、積載用部品とキーボード本体１が結合されて、同様にキーボード本体１に積木構造が結合されるための結合部品２が形成されることも可能である。【選択図】図１
0003207109.tif 000002
【実用新案登録請求の範囲】
【請求項１】
キーボード本体と、少なくとも一つの結合部品とからなる、キーボードの構造であって、
前記キーボード本体には、複数個のキートップ部品が設けられるとともに、前記キーボード本体は、上表面を有し、
前記結合部品は、前記キーボード本体における上表面の位置に区切られて設けられるとともに、前記結合部品は、積木構造が係止されて結合されるために用いられることを特徴とする、キーボードの構造。
【請求項２】
キーボード本体と、積載用部品と、少なくとも一つの結合部品とからなる、キーボードの構造であって、
前記キーボード本体には、複数個のキートップ部品が設けられるとともに、前記キーボード本体は、上表面を有し、
前記積載用部品は、前記上表面の位置に設けられ、
前記結合部品は、前記積載用部品上に区切られて設けられるとともに、前記結合部品は、積木構造が係止されて結合されるために用いられることを特徴とする、キーボードの構造。
【請求項３】
更に、前記結合部品は、凸部であることを特徴とする、請求項１或は２のいずれか一つに記載のキーボードの構造。
【請求項４】
更に、前記積載用部品には、複数個の穿孔が設けられ、
各前記穿孔は、各前記キートップ部品と対応することを特徴とする、請求項２に記載のキーボードの構造。
【請求項５】
更に、前記キーボード本体上には、少なくとも一つの固定部が設けられることを特徴とする、請求項２に記載のキーボードの構造。
【請求項６】
更に、前記積載用部品上には、前記固定部と互いに固定されるための係合部が少なくとも一つ設けられることを特徴とする、請求項５に記載のキーボードの構造。
【請求項７】
更に、前記積木構造には、前記結合部品と互いに固定されるための位置決め部が設けられることを特徴とする、請求項１或は２のいずれか一つに記載のキーボードの構造。
【請求項８】
更に、前記積木構造は、デザイン積木・矩形積木・曲線状積木・その他形状の積木の中のいずれか一つであることを特徴とする、請求項１或は２のいずれか一つに記載のキーボードの構造。
【考案の詳細な説明】
【技術分野】
【０００１】
本考案は、キーボードに関し、特に、使用者がキーボード本体上の表面に装飾を施すことが出来る、キーボードの構造に関する。
【背景技術】
【０００２】
操作上の利便性のために、パソコンには通常、各種の入力周辺機器（例えばキーボード・マウス・タッチパネル）が備え付けられている。上述の入力周辺機器を利用して、使用者の押下・スライド・回転の動きを感知した機器が入力信号を産出し、入力周辺機器が入力信号を出力信号に変換してパソコンに伝送することで、パソコンの制御やデータ入力が行われる。
【０００３】
キーボードの機能は上述の通り、ただパソコンにデータを入力することだけであり、その他の効用は備えていない。更に、キーボード表面には製造会社の名称が印されている程度であり、使用者が使う際に装飾や変化を加えることは出来ない。
【考案の概要】
【考案が解決しようとする課題】
【０００４】
本考案は、結合部品によって、使用者がキーボード本体により多くの変化や装飾を加えることを可能にして、元々の単調なキーボード本体に娯楽性を与える、キーボードの構造を提供することを目的とする。
【課題を解決するための手段】
【０００５】
上述の目的を達成するために、本考案は、キーボード本体と、キートップ部品と、結合部品とからなる。このうち、キートップ部品はキーボード本体上に設けられ、キーボード本体上には更に上表面が設けられる。また前記結合部品は、前記上表面の位置に区切られて設けられるとともに、結合部品は主に、積木構造が係止されて結合されるために用いられる。以上により、使用者がキーボード本体を改造しようとする時には、自分の望む積木構造を選んで結合部品と固定させれば良い。また前記積木構造は、上表面の範囲内であれば、どの位置に設けられても良い。
【考案の効果】
【０００６】
上述の構造によってなる本考案は、従来のキーボードにおける問題点、即ち、パソコンへのデータ入力以外の効用が無く、使用者が使う際に装飾や変化を加えることが出来ないという問題点を解消して、上述した長所に基づく実用進歩性を達成することが出来る。
【図面の簡単な説明】
【０００７】
【図１】本考案の実施例の斜視図である。
【図２】本考案の実施例における積木構造との結合を示した概略図である。
【図３】本考案の実施例２の分解図である。
【図４】本考案の実施例２の断面図である。
【図５】本考案の実施例２の概略図である。
【考案を実施するための形態】
【０００８】
（実施例１）
図１を参照する。図は、本考案の実施例の斜視図である。図に示したように、本考案は、キーボード本体１と、少なくとも一つの結合部品２とからなる。
【０００９】
キーボード本体１には、複数個のキートップ部品１１が設けられるとともに、キーボード本体１は上表面１２を有する。
【００１０】
結合部品２は、キーボード本体１における上表面１２の位置に区切られて設けられるとともに、積木構造が係止されて結合されるために用いられ、且つ結合部品２は凸部である。
【００１１】
このうち、積木構造は、デザイン積木・矩形積木・曲線状積木・その他形状の積木の中のいずれか一つである。
【００１２】
図１及び図２を合わせて参照する。図は、それぞれ本考案の実施例の斜視図、及び積木構造との結合を示した概略図である。図に示したように、キーボード本体１に装飾を施そうとする時、キーボード本体１上には一個或は複数個の結合部品２が設けられており、各結合部品２の形状は積木構造３上の位置決め部３１と対応しているため、積木構造３をスムーズに結合部品２と結合させることが出来る。使用者は、取付けようとする積木構造３を予め自分で選ぶとともに、差込む位置を決めた後、積木構造３の位置決め部３１と結合部品２の位置を合わせて係止すれば良い。加えて、結合部品２が設けられた場所であれば、いずれも積木構造３を取付けることが出来る。
【００１３】
（実施例２）
図３から図５までを参照する。図は、それぞれ本考案の実施例２の分解図・断面図・概略図である。図に示したように、実施例２は主に、キーボード本体１ａと、積載用部品４ａと、少なくとも一つの結合部品２ａとからなる。
【００１４】
キーボード本体１ａには、複数個のキートップ部品１１ａが設けられるとともに、キーボード本体１ａは上表面１２ａ及び少なくとも一つの固定部１３ａを有する。
【００１５】
積載用部品４ａは、上表面１２ａの位置に設けられるとともに、積載用部品４ａには、複数個の穿孔４１ａが設けられる。各穿孔４１ａは、各キートップ部品１１ａと対応する。このほか積載用部品４ａ上には、固定部１３ａと互いに固定されるための係合部４２ａが少なくとも一つ設けられる。
【００１６】
少なくとも一つの結合部品２ａは、積載用部品４ａ上に区切られて設けられるとともに、積木構造３ａが係止されて結合されるために用いられ、且つ結合部品２ａは凸部である。
【００１７】
このうち、積木構造３ａには、結合部品２ａと互いに固定されるための位置決め部３１ａが設けられる。
【００１８】
以上により、使用者がキーボード本体１ａ上に積木構造３ａを取付けようとする時には、積載用部品４ａの穿孔４１ａの位置と各キートップ部品１１ａを対応させるとともに、これを上表面１２ａの位置に覆い被せ、同時に係合部４２ａと固定部１３ａを用いて、積載用部品４ａとキーボード本体１ａを結合させる。これにより使用者は、取付けようとする積木構造３ａを選んで、位置決め部３１ａを結合部品２ａの位置に合わせて差込むことが可能であり、非常に便利である。
【００１９】
全ての図を参照する。本考案を使用する時、従来技術と比較して、以下の長所がある。即ち、結合部品２によって、使用者はキーボード本体１により多くの変化や装飾を施すことが可能になり、元々の単調なキーボード本体１に娯楽性を与えることが出来る。
【符号の説明】
【００２０】
１、１ａ    キーボード本体
１１、１１ａ    キートップ部品
１２、１２ａ    上表面
１３ａ    固定部
２、２ａ    結合部品
３、３ａ    積木構造
３１、３１ａ    位置決め部
４ａ    積載用部品
４１ａ    穿孔
４２ａ    係合部
【図１】
0003207109.tif 000003
【図２】
0003207109.tif 000004
【図３】
0003207109.tif 000005
【図４】
0003207109.tif 000006
【図５】
0003207109.tif 000007